(57)【要約】【課題】映画などの入力画像に含まれる太い輪郭のオーバーシュートを抑制するとともに、精細感を向上する。【解決手段】入力画像から中域の大振幅成分を抽出して太いオーバーシュートを減衰させることと連動して、入力画像の高域の小振幅成分を抽出してエンハンスする。中域付近の大振幅成分を低下させることで、図１３Ｂでは存在した、輪郭に沿った太いオーバーシュートは減衰する。また、高域の小振幅成分を増幅すると、テクスチャー部分の鮮鋭感が増す。したがって、図１３Ａに示した癖のある画像は、精細感が上がり、自然な高解像度影像となる。【選択図】  図１
2013042319.tif 000002
【特許請求の範囲】
【請求項１】
画像を入力する画像入力部と、
入力画像の高域成分を抽出する高域バンドパス・フィルターと、
前記高域バンドパス・フィルターにより抽出された高域成分のうち小振幅成分を抽出する高域小振幅抽出部と、
前記高域小振幅抽出部により抽出された高域小振幅成分を調整する高域小振幅調整部と、
入力画像の中域成分を抽出する中域バンドパス・フィルターと、
前記中域バンドパス・フィルターにより抽出された中域成分のうち大振幅成分を抽出する中域大振幅抽出部と、
前記中域大振幅抽出部により抽出された中域大振幅成分を調整する中域大振幅調整部と、
前記高域小振幅調整部により調整した後の高域小振幅成分と、前記中域大振幅調整部により調整した後の中域大振幅成分を、入力画像に加算する加算部と、
を具備する画像処理装置。
【請求項２】
前記中域大振幅調整部において行なう中域大振幅成分の調整に連動させて前記高域小振幅調整部において行なう高域小振幅成分の調整を制御する連動部をさらに備える、
請求項１に記載の画像処理装置。
【請求項３】
前記高域バンドパス・フィルターにより抽出された高域成分のうち大振幅成分を抽出する高域大振幅抽出部と、
前記高域大振幅抽出部により抽出された高域大振幅成分を調整する高域大振幅調整部と、
前記中域バンドパス・フィルターにより抽出された中域成分のうち小振幅成分を抽出する中域小振幅抽出部と、
前記中域小振幅抽出部により抽出された中域小振幅成分を調整する中域小振幅調整部と、
をさらに備え、
前記加算部は、前記高域大振幅調整部により調整した後の高域大振幅成分と、前記高域小振幅調整部により調整した後の高域小振幅成分と、前記中域大振幅調整部により調整した後の中域大振幅成分と、前記中域小振幅調整部により調整した後の中域小振幅成分を、入力画像に加算する、
請求項１に記載の画像処理装置。
【請求項４】
前記中域大振幅調整部において行なう中域大振幅成分の調整に連動させて前記高域小振幅調整部において行なう高域小振幅成分の調整を制御する連動部をさらに備える、
請求項３に記載の画像処理装置。
【請求項５】
前記高域バンドパス・フィルター及び前期中域バンドパス・フィルターでそれぞれ抽出する周波数帯域を、前記画像入力部に入力される画像の画素数と、前記加算部からの出力画像を表示する際の画素数に連携して決定する、
請求項１に記載の画像処理装置。
【請求項６】
画像を入力する画像入力ステップと、
入力画像の中域成分を抽出する中域抽出ステップと、
前記中域抽出ステップにより抽出された中域成分のうち大振幅成分を抽出する中域大振幅抽出ステップと、
前記中域大振幅抽出ステップにより抽出された中域大振幅成分を調整する中域大振幅調整ステップと、
入力画像の高域成分を抽出する高域抽出ステップと、
前記高域抽出ステップにより抽出された高域成分のうち小振幅成分を抽出する高域小振幅抽出ステップと、
前記中域大振幅調整ステップにおける中域大振幅成分の調整と連動して、前記高域小振幅抽出ステップにより抽出された高域小振幅成分を調整する高域小振幅調整ステップと、
前記高域小振幅調整ステップにより調整した後の高域小振幅成分と、前記中域大振幅調整ステップにより調整した後の中域大振幅成分を、入力画像に加算する加算ステップと、
を有する画像処理方法。
【請求項７】
画像を入力する画像入力部、
入力画像の中域成分を抽出する中域抽出部、
前記中域抽出部により抽出された中域成分のうち大振幅成分を抽出する中域大振幅抽出部、
前記中域大振幅抽出部により抽出された中域大振幅成分を調整する中域大振幅調整部、
入力画像の高域成分を抽出する高域抽出部、
前記高域抽出部により抽出された高域成分のうち小振幅成分を抽出する高域小振幅抽出部、
前記中域大振幅調整ステップにおける中域大振幅成分の調整と連動して、前記高域小振幅抽出部により抽出された高域小振幅成分を調整する高域小振幅調整部、
前記高域小振幅調整部により調整した後の高域小振幅成分と、前記中域大振幅調整部により調整した後の中域大振幅成分を、入力画像に加算する加算部、
としてコンピューターを機能させるための、コンピューター可読形式で記述されたコンピューター・プログラム。
【発明の詳細な説明】
【技術分野】
【０００１】
本明細書で開示する技術は、入力画像の画質を改善する画像処理装置及び画像処理方法、並びにコンピューター・プログラムに係り、特に、映画などの入力画像に対して輪郭補正を行ない精細感や鮮鋭感を向上する画像処理装置及び画像処理方法、並びにコンピューター・プログラムに関する。
【背景技術】
【０００２】
画像処理分野において、輪郭の傾斜を急峻にして、画像の精細感や鮮鋭感を増し、高画質化を図る輪郭補正技術が広く知られている。輪郭補正には、例えば、高周波成分を基にプリシュート又はオーバーシュート付加することにより輪郭の傾斜を急峻にしてコントラスト差を拡大し、鮮鋭感を高める「シュート・エンハンス」や、プリシュートやオーバーシュートを付加せずに輪郭の傾斜を急峻にして鮮鋭感を高める「シュートレス・エンハンス」を挙げることができる。
【０００３】
画像をシュート・エンハンス処理すると、コントラスト差が拡大して鮮鋭感が向上するが、シュートがあたかも縁取りしたように目につくという副作用があり、画質劣化の原因にもなる。一方、画像をシュートレス・エンハンス処理すると、シュートによる画質劣化は生じないが、コントラスト差の拡大効果がなく、鮮鋭感に欠ける。
【０００４】
例えば、注目画素の輪郭特徴量に基づいてシュート・エンハンス処理した補正信号とシュートレス・エンハンス処理した補正信号の合成比率を決定して、補正信号を合成することにより、輪郭部分における縁取りの副作用を抑制するとともに背景に相当する細かなテクスチャー部分についても十分な鮮鋭感を得る画像表示装置について提案がなされている（例えば、特許文献１を参照のこと）。
【０００５】
この画像表示装置の各エンハンス回路は、入力信号の輪郭に対してエンハンス処理を行なうように構成されている。したがって、ここで言うシュート・エンハンス処理は、画像信号の高域大振幅成分を調整する処理に相当し、シュートレス・エンハンス処理は、画像信号の高域小振幅成分を調整する処理に相当するものである。また、入力画像に細いオーバーシュートがあるときには、シュート・エンハンス処理でエンハンスを引き算すなわちリダクション方向にすることで、調整することができる。しかしながら、これらのエンハンス処理は、太いオーバーシュートに対しては無効である。
【０００６】
ところで、ブルーレイ・ディスクなどの大容量メディアで提供される映画などのコンテンツの中には、太い輪郭でメリハリがある、癖のあるコンテンツが散見される。これは、メディアに記録する際に、ノイズが少ない画像となることなどを期待して、中域の大振幅成分をエンハンスするような画像処理が施された結果してオーバーシュートが付加されてしまったためと思料される。
【０００７】
図１３Ａには、オーバーシュートを含んだ入力画像の一例を示している。また、図１３Ｂには、図１３Ａに示した入力画像の水平１ラインの輝度変化を示している。但し、横軸が画素の水平座標であり、縦軸が輝度である。図１３Ａを参照すると、輪郭に沿ってオーバーシュートが顕在しているが、これは図１３Ｂで中域付近を参照すると分かるように中域大振幅成分が過剰にエンハンスされたことが原因である。また、輪郭より右側のテクスチャー部分は、図１３Ｂからも分かるように、高域小振幅成分に相当する。
【０００８】
図１３Ａに示したような、輪郭に沿った太いオーバーシュートは、メディアに記録する際の画像処理前の原画（フィルム映画など）には本来なく、人工的な画質となるという弊害がある。また、テクスチャー部分を参照すると、鮮鋭感はないままである。
【０００９】
また、上述した画像表示装置は、基本的に、高域大振幅成分に対してシュート・エンハンス処理を行なうとともに高域小振幅成分に対してシュートレス・エンハンス処理を行なうものであり、中域大振幅の成分に相当する太いオーバーシュートを除去することはできない。
【先行技術文献】
【特許文献】
【００１０】
【特許文献１】特開２００６−１０６９２１号公報
【発明の概要】
【発明が解決しようとする課題】
【００１１】
本明細書で開示する技術の目的は、映画などの入力画像に対して輪郭補正を行ない、精細感や鮮鋭感を向上することができる、優れた画像処理装置及び画像処理方法、並びにコンピューター・プログラムを提供することにある。
【００１２】
本明細書で開示する技術のさらなる目的は、映画などの入力画像に含まれる太い輪郭のオーバーシュートを抑制するとともに、精細感を向上することができる、優れた画像処理装置及び画像処理方法、並びにコンピューター・プログラムを提供することにある。
【課題を解決するための手段】
【００１３】
本願は、上記課題を参酌してなされたものであり、請求項１に記載の技術は、
画像を入力する画像入力部と、
入力画像の高域成分を抽出する高域バンドパス・フィルターと、
前記高域バンドパス・フィルターにより抽出された高域成分のうち小振幅成分を抽出する高域小振幅抽出部と、
前記高域小振幅抽出部により抽出された高域小振幅成分を調整する高域小振幅調整部と、
入力画像の中域成分を抽出する中域バンドパス・フィルターと、
前記中域バンドパス・フィルターにより抽出された中域成分のうち大振幅成分を抽出する中域大振幅抽出部と、
前記中域大振幅抽出部により抽出された中域大振幅成分を調整する中域大振幅調整部と、
前記高域小振幅調整部により調整した後の高域小振幅成分と、前記中域大振幅調整部により調整した後の中域大振幅成分を、入力画像に加算する加算部と、
を具備する画像処理装置である。
【００１４】
本願の請求項２に記載の技術によれば、請求項１に記載の画像処理装置は、前記中域大振幅調整部において行なう中域大振幅成分の調整に連動させて前記高域小振幅調整部において行なう高域小振幅成分の調整を制御する連動部をさらに備えている。
【００１５】
本願の請求項３に記載の技術によれば、請求項１に記載の画像処理装置は、前記高域バンドパス・フィルターにより抽出された高域成分のうち大振幅成分を抽出する高域大振幅抽出部と、前記高域大振幅抽出部により抽出された高域大振幅成分を調整する高域大振幅調整部と、前記中域バンドパス・フィルターにより抽出された中域成分のうち小振幅成分を抽出する中域小振幅抽出部と、前記中域小振幅抽出部により抽出された中域小振幅成分を調整する中域小振幅調整部をさらに備えている。そして、前記加算部は、前記高域大振幅調整部により調整した後の高域大振幅成分と、前記高域小振幅調整部により調整した後の高域小振幅成分と、前記中域大振幅調整部により調整した後の中域大振幅成分と、前記中域小振幅調整部により調整した後の中域小振幅成分を、入力画像に加算するように構成されている。
【００１６】
本願の請求項４に記載の技術によれば、請求項３に記載の画像処理装置は、前記中域大振幅調整部において行なう中域大振幅成分の調整に連動させて前記高域小振幅調整部において行なう高域小振幅成分の調整を制御する連動部をさらに備えている。
【００１７】
本願の請求項５に記載の技術によれば、請求項１に記載の画像処理装置は、前記高域バンドパス・フィルター及び前期中域バンドパス・フィルターでそれぞれ抽出する周波数帯域を、前記画像入力部に入力される画像の画素数と、前記加算部からの出力画像を表示する際の画素数に連携して決定するように構成されている。
【００１８】
また、本願の請求項６に記載の技術は、
画像を入力する画像入力ステップと、
入力画像の中域成分を抽出する中域抽出ステップと、
前記中域抽出ステップにより抽出された中域成分のうち大振幅成分を抽出する中域大振幅抽出ステップと、
前記中域大振幅抽出ステップにより抽出された中域大振幅成分を調整する中域大振幅調整ステップと、
入力画像の高域成分を抽出する高域抽出ステップと、
前記高域抽出ステップにより抽出された高域成分のうち小振幅成分を抽出する高域小振幅抽出ステップと、
前記中域大振幅調整ステップにおける中域大振幅成分の調整と連動して、前記高域小振幅抽出ステップにより抽出された高域小振幅成分を調整する高域小振幅調整ステップと、
前記高域小振幅調整ステップにより調整した後の高域小振幅成分と、前記中域大振幅調整ステップにより調整した後の中域大振幅成分を、入力画像に加算する加算ステップと、
を有する画像処理方法である。
【００１９】
また、本願の請求項７に記載の技術は、
画像を入力する画像入力部、
入力画像の中域成分を抽出する中域抽出部、
前記中域抽出部により抽出された中域成分のうち大振幅成分を抽出する中域大振幅抽出部、
前記中域大振幅抽出部により抽出された中域大振幅成分を調整する中域大振幅調整部、
入力画像の高域成分を抽出する高域抽出部、
前記高域抽出部により抽出された高域成分のうち小振幅成分を抽出する高域小振幅抽出部、
前記中域大振幅調整ステップにおける中域大振幅成分の調整と連動して、前記高域小振幅抽出部により抽出された高域小振幅成分を調整する高域小振幅調整部、
前記高域小振幅調整部により調整した後の高域小振幅成分と、前記中域大振幅調整部により調整した後の中域大振幅成分を、入力画像に加算する加算部、
としてコンピューターを機能させるための、コンピューター可読形式で記述されたコンピューター・プログラムである。
【００２０】
本願の請求項７に係るコンピューター・プログラムは、コンピューター上で所定の処理を実現するようにコンピューター可読形式で記述されたコンピューター・プログラムを定義したものである。換言すれば、本願の請求項７に係るコンピューター・プログラムをコンピューターにインストールすることによって、コンピューター上では協働的作用が発揮され、本願の請求項１に係る画像処理装置と同様の作用効果を得ることができる。
【発明の効果】
【００２１】
本明細書で開示する技術によれば、映画などの入力画像に含まれる太い輪郭のオーバーシュートを抑制するとともに、精細感を向上することができる、優れた画像処理装置及び画像処理方法、並びにコンピューター・プログラムを提供することができる。
【００２２】
本明細書で開示する技術によれば、入力画像から中域の大振幅成分を抽出して太いオーバーシュートを減衰させることと連動して、入力画像の高域の小振幅成分を抽出してエンハンスするので、例えば、太い輪郭でメリハリがある癖のある入力画像を、精細感を向上させた自然な高解像度画像に補正することができる。
【００２３】
本明細書で開示する技術のさらに他の目的、特徴や利点は、後述する実施形態や添付する図面に基づくより詳細な説明によって明らかになるであろう。
【図面の簡単な説明】
【００２４】
【図１】図１は、図１３に示したに入力画像に対して太いオーバーシュートを抑制するとともに、小振幅の高域をエンハンスする処理を行なったときの、相対的な振幅の変化を示した図である。
【図２Ａ】図２Ａは、図１３Ａに示した入力画像に対して太いオーバーシュートを抑制する処理を行なうとともに、小振幅の高域をエンハンスする処理を行なった後の画像を示した図である。
【図２Ｂ】図２Ｂは、図２Ａに示した入力画像の水平１ラインの輝度変化を示した図である。
【図３Ａ】図３Ａは、本明細書で開示する技術を適用可能な画像表示装置３００の構成例を示した図である。
【図３Ｂ】図３Ｂは、本明細書で開示する技術を適用可能な画像再生装置３００の構成例を示した図である。
【図４】図４は、映像処理回路３０４の内部構成例を示した図である。
【図５】図５は、エンハンス回路４０３の構成例を示した図である。
【図６】図６は、高域小振幅並びに中域大振幅の各エンハンス・ゲインを調整する際のＧＵＩ画面構成例を示した図である。
【図７】図７は、エンハンス回路４０３の他の構成例を示した図である。
【図８】図８は、高域小振幅並びに中域大振幅のエンハンス・ゲインを調整する際のＧＵＩ画面構成例を示した図である。
【図９】図９は、エンハンス回路４０３のさらに他の構成例を示した図である。
【図１０】図１０は、高域大振幅、高域小振幅、中域大振幅、並びに、中域小振幅の各エンハンス・ゲインを調整する際のＧＵＩ画面構成例を示した図である。
【図１１】図１１は、エンハンス回路４０３のさらに他の構成例を示した図である。
【図１２】図１２は、高域大振幅、高域小振幅、中域大振幅、並びに、中域小振幅の各エンハンス・ゲインを調整する際のＧＵＩ画面構成例を示した図である。
【図１３Ａ】図１３Ａは、オーバーシュートを含んだ入力画像の一例を示した図である。
【図１３Ｂ】図１３Ｂは、図１３Ａに示した入力画像の水平１ラインの輝度変化を示した図である。
【図１４】図１４は、図１３に示した画像について、低い周波数を１として、相対的な振幅の周波数に応じた変化を示した図である。
【図１５】図１５は、図１３に示したに入力画像に対して太いオーバーシュートを抑制する処理を施した後の、相対的な振幅の変化を示した図である。
【図１６Ａ】図１６Ａは、図１３Ａに示した入力画像に対して太いオーバーシュートを抑制する処理を施した後の画像を示した図である。
【図１６Ｂ】図１６Ｂは、図１６Ａに示した入力画像の水平１ラインの輝度変化を示した図である。
【発明を実施するための形態】
【００２５】
以下、図面を参照しながら本明細書で開示する技術の実施形態について詳細に説明する。
【００２６】
［背景技術］の欄で述べた技術的課題について、さらに考察してみる。図１４には、図１３に示したような癖のある画像について、低い周波数を１として、相対的な振幅の周波数に応じた変化を示している。輪郭に沿って太いオーバーシュートは、中域において大振幅となる。上述したように、輪郭に沿った太いオーバーシュートは、メディアに記録する際の画像処理前の原画（フィルム映画など）には本来なく、人工的な画質となるという弊害がある。一方、テクスチャーは、高域ほど緩やかに小振幅になっていく。すなわち、微小振幅が伸びていないので、テクスチャー部分の精細感がない。
【００２７】
このような問題の解決方法の１つとして、入力画像から中域の大振幅成分を抽出して、太いオーバーシュートだけ抑制することが考えられる。図１３に示したに入力画像に対して太いオーバーシュートを抑制する処理を施した後の、相対的な振幅の変化を、図１５に示している。図示のように、中域に存在した大振幅（図中の点線）が抑圧されていることが分かるが、高域の小振幅成分に関してはそのままである。したがって、オーバーシュートだけ下げると、単に輪郭がぼやけた画質となるだけで、観察者にとって画質が改善されたという感覚が得られない。
【００２８】
図１６Ａには、図１３Ａに示した入力画像に対して太いオーバーシュートを抑制する処理を施した後の画像を示している。また、図１６Ｂには、図１６Ａに示した入力画像の水平１ラインの輝度変化を示している。但し、横軸が画素の水平座標であり、縦軸が輝度である。図１６Ａを参照すると、輪郭に沿った太いオーバーシュートは減衰している。また、図１６Ｂで中域付近を参照すると、図１３Ｂでは存在した、中域付近の大振幅成分が低下している。しかしながら、図１６Ｂで高域付近を参照すると、小振幅成分に関してはそのままである。また、図１６Ａでテクスチャー部分を参照すると、鮮鋭感はないままである。すなわち、オーバーシュートだけ下げると、単に輪郭がぼやけた画質となるだけで、観察者にとって画質が改善されたという感覚が得られない。
【００２９】
そこで、本明細書では、入力画像から中域の大振幅成分を抽出して太いオーバーシュートを減衰させることと連動して、入力画像の高域の小振幅成分を抽出してエンハンスする技術を提案する。小振幅の高域を上げると、精細感が上がり、自然な高解像度映像となることを期待できる。
【００３０】
図１には、図１３に示したに入力画像に対して太いオーバーシュートを抑制するとともに、小振幅の高域をエンハンスする処理を行なったときの、相対的な振幅の変化を示している。図示のように、中域に存在した大振幅（図中の点線）が抑圧されるとともに、高域の小振幅成分（図中の一点鎖線）がエンハンスされている。この結果、小振幅の高域を上げると精細感が上がり、自然な高解像度映像となる。
【００３１】
図２Ａには、図１３Ａに示した入力画像に対して太いオーバーシュートを抑制する処理を行なうとともに、小振幅の高域をエンハンスする処理を行なった後の画像を示している。また、図２Ｂには、図２Ａに示した入力画像の水平１ラインの輝度変化を示している。但し、横軸が画素の水平座標であり、縦軸が輝度である。図２Ａを参照すると、輪郭に沿った太いオーバーシュートはなくなっている。また、図２Ｂで中域付近を参照すると、図１３Ｂでは存在した、中域付近の大振幅成分が低下している。一方、図２Ｂで高域付近を参照すると、小振幅成分が増幅されている。また、図２Ａでテクスチャー部分を参照すると、鮮鋭感が増していることが分かる。すなわち、小振幅の高域を上げると精細感が上がり、自然な高解像度映像となる。
【００３２】
入力画像において、輪郭に沿った太いオーバーシュートが気になるときには、画像信号のうち中域の大振幅成分を減衰させる処理を行なうが、これに連動して、図１並びに図２Ｂに示したように、高域小振幅の成分を上げる処理を行なうことが好ましい。
【００３３】
このような画像処理は、画像表示装置内で自動化して行なうようにしてもよいが、ユーザーがマニュアル操作で調整を行なうことができるように画像表示装置を構成することもできる。
【００３４】
後者の場合、ユーザーは、表示画像のうち輪郭に沿った太いオーバーシュートが気になるときには、オーバーシュートがなくなり最も自然で好ましいと感じるように、中域大振幅成分の調整をマニュアル操作により行なう。ここで、中域大振幅成分の調整に高域小振幅成分の制御が連動していると、図１並びに図２Ｂに示したように、中域大振幅成分が減衰されることに追従して、高域小振幅の成分が自動的にがっていくので、テクスチャー部分の精細感が上がり、自然な高解像度映像となる。したがって、ユーザーは、輪郭に沿った太いオーバーシュートだけを気にして画質調整を行なえば、高域小振幅成分すなわちテクスチャー部分の精細感を特に意識しなくても、テクスチャー部分の精細感が上がった自然な高解像度映像を自動的に得ることができる。
【００３５】
基本的には、中域大振幅成分のゲインを低下させたときには、これに連動して高域小振幅成分のゲインを上げ、逆に、中域大振幅成分のゲインを上げたときには、高域小振幅成分のゲインを低下させるようにする。中域大振幅成分のゲイン調整量と、これに連動する高域小振幅成分のゲイン調整量の一例を以下の表１に示しておく。なお、中域大振幅成分のゲインを上げて輪郭に沿った太いオーバーシュートをむしろ強調するときには、中域大振幅成分の調整を行なう必要はないので、連動する調整量は０となっている。
【００３６】
【表１】
2013042319.tif 000003
【００３７】
これに対し、中域大振幅成分の調整に高域小振幅成分の制御が連動していないと、ユーザーが高域小振幅の成分も別途行なわない限り、テクスチャー部分は鮮鋭感がないままで単にリンクかがぼやけた画質となってしまい、ユーザーは画質が改善されたという感覚を得ることはできないことになる。
【００３８】
図３Ａには、本明細書で開示する技術に係るエンハンス処理を適用可能な画像表示装置３００の構成例を示している。図示の画像表示装置３００は、インターネットなどのブロード・バンドネットワークに設置されたコンテンツ・サーバーや、ブルーレイ・ディスク・プレイヤーなどの画像再生装置（いずれも図示しない）を表示画像のソースとしている。
【００３９】
ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）端子には、図示しない画像再生装置が接続されている。ＨＤＭＩ受信部３０２は、ＨＤＭＩケーブル経由で受信したベースバンド信号の波形等化やディジタル変換などの処理を行なう。
【００４０】
デマルチプレクサー（ＤＥＭＵＸ）３０３は、ＨＤＭＩ受信部３０２で得られるベースバンド信号から映像データと音声データをデマルチプレクスする。
【００４１】
映像処理回路３０４は、デマルチプレクサー３０３で得られた映像データに対し、ドット妨害、クロスカラー妨害の除去、ＩＰ（Ｉｎｔｅｒｌａｃｅ／Ｐｒｏｇｒｅｓｓｉｖｅ）変換、スケーリング、エンハンス、ＯＳＤ（Ｏｎ  Ｓｃｒｅｅｎ  Ｄｉｓｐｌａｙ）などのグラフィックス・データの重畳といった処理を行なう。エンハンス処理の詳細については後述に譲る。
【００４２】
パネル駆動回路３０６は、映像処理回路３０４から出力される映像データに基づいて表示パネル３０８を駆動する。表示パネル３０８は、例えばＬＣＤ（Ｌｉｑｕｉｄ  Ｃｒｙｓｔａｌ  Ｄｉｓｐｌａｙ）やＰＤＰ（Ｐｌａｓｍａ  Ｄｉｓｐｌａｙ  Ｐａｎｅｌ）などで構成されている。音声処理回路３０５は、デマルチプレクサー３０３で得られた音声データに対して、音質調整処理やＤ／Ａ変換処理などの必要な処理を行なう。音声増幅回路３０７は、音声処理回路３０５から出力される音声信号を増幅してスピーカー３０９に供給する。
【００４３】
ＣＰＵ（Ｃｅｎｔｒａｌ  Ｐｒｏｃｅｓｓｉｎｇ  Ｕｎｉｔ）３１４、フラッシュＲＯＭ（Ｒｅａｄ  Ｏｎｌｙ  Ｍｅｍｏｒｙ）３１３、ＳＤＲＡＭ（Ｓｈｙｎｃｒｏｎｏｕｓ  Ｄｙｎａｍｉｃ  Ｒａｎｄｏｍ  Ｍｅｍｏｒｙ）３１２、並びに、イーサネット（登録商標）・インターフェース３１１は、内部バス３１７に接続されている。
【００４４】
ネットワーク端子３１０には、例えばイーサネット（登録商標）ケーブルが接続されている。イーサネット（登録商標）・インターフェース３１１に接続されて
いる。イーサネット（登録商標）・インターフェース３１１は、イーサネット（登録商標）ケーブル経由で受信した信号の波形等化やディジタル変換などの、ＰＳ形式で伝送される映像及び音声のＰＥＳパケットの受信処理を行なう。映像ＰＥＳパケット並びに音声ＰＥＳパケットは、ＭＰＥＧデコーダー３０３でデコード処理される（同上）。
【００４５】
ＣＰＵ３１４は、画像表示装置３００内の各部の動作を制御する。フラッシュＲＯＭ３１３は、制御ソフトウェアの格納及びデータの不揮発的な保管を行なう。ＳＤＲＡＭ３１２は、ＣＰＵ３１４のワークエリアを構成する。ＣＰＵ３１４は、フラッシュＲＯＭ４１３から読み出したソフトウェアやデータをＳＤＲＡＭ３１２上に展開して制御ソフトウェアを起動させ、画像表示装置３００内の各部を制御する。
【００４６】
リモコン受信部３１５は、リモコン送信機３１６から送信されたリモーコントロール信号（リモコンコード）を受信して、ＣＰＵ３１４に供給する。ＣＰＵ３１４は、受信したリモコンコードに基づいて、画像表示装置３００内の各部を制御する。
【００４７】
リモコン送信機３１６からリモコンコードにより指示される処理として、例えば映像及び音声の再生、停止動作や、表示パネル３０８での出力映像の画質調整処理である。
【００４８】
また、図３Ｂには、本明細書で開示する技術に係るエンハンス処理を画像再生装置３５０側に搭載する場合の構成例を示している。
【００４９】
メディア・ドライブ３５１は、ブルーレイ・ディスクなどの図示しない記録メディアら記録面から、例えばＰＳ（ｐｒｏｇｒａｍ  Ｓｔｒｅａｍ）形式で映像及び音声のＰＥＳ（Ｐａｃｋｅｔｉｚｅｄ  Ｅｌｅｍｅｎｔａｒｙ  Ｓｔｒｅａｍ）パケットを読み出す。復調部３５２は、読み出したデータを復調して映像及び音声信号を得る。映像音声処理部３５３は、映像及び音声信号に対して所定の信号処理を施す。映像信号に対して施す信号処理として、例えば上記の映像処理回路３０４において行なうのと同様のエンハンス処理を挙げることができる。そして、信号処理後の映像及び音声のベースバンド信号は、ＨＤＭＩ送信部３５４からＨＤＭＩケーブル経由で図示しない表示装置に出力される。
【００５０】
図４には、映像処理回路３０４の内部構成例を示している。図示の映像処理回路３０４は、ＩＰ変換回路４０１と、スケーリング回路４０２と、エンハンス回路４０３と、コントラスト・ブライトネス調整回路４０４と、ゲイン調整回路４０５と、遅延回路４０６と、マトリクス回路４０７を備えている。
【００５１】
ＩＰ変換回路４０１は、ＭＰＥＧデコーダー３０３から出力される輝度データ（輝度信号）Ｙ、色差データ（色信号）Ｒ−Ｙ、Ｂ−Ｙを、インターレース信号からプログレッシブ信号に変換する。スケーリング回路４０２は、ＩＰ変換回路４０１から出力される輝度データＹ、色差データＲ−Ｙ、Ｂ−Ｙに対して、表示パネル３０８への表示に適した解像度とするためのスケーリング処理を行なう。なお、スケーリング回路４０２は、理想的には後述するマトリクス回路４０７の直前に配置する方が、性能的には優れていると思料される。
【００５２】
エンハンス回路４０３は、スケーリング回路４０２から出力される輝度データＹに対して映像の鮮鋭度を向上させるためのエンハンス処理を行なう。エンハンス回路４０３は、各画素のエンハンス・ゲインを調整する。輝度データの高域成分についてシュート・エンハンス並びにシュートレス・エンハンスを行なうことは既に知られているが（例えば、特許文献１を参照のこと）、本明細書で開示する技術は、中域成分についてエンハンス処理を行なうこと、中域大振幅成分の調整に高域小振幅成分の制御を連動させることなどに主な特徴がある。エンハンス回路４０３の詳細については後述に譲る。
【００５３】
コントラスト・ブライトネス調整回路４０４は、エンハンス回路４０３から出力される輝度データＹに対して、ユーザー操作などに基づいて、コントラストやブライトネスの調整処理を行なう。ゲイン調整回路４０５は、スケーリング回路４０２から出力される色差データＲ−Ｙ、Ｂ−Ｙに対して、ユーザー操作などに基づいて、ゲインの調整処理を行なう。遅延回路４０６は、ゲイン調整回路４０５から出力される色差データＲ−Ｙ、Ｂ−Ｙに対して、輝度データＹとのタイミング合わせのための遅延処理を行なう。
【００５４】
マトリクス回路４０７は、コントラスト・ブライトネス調整回路４０４から出力される輝度データＹ及び遅延回路１３６から出力される色差データＲ−Ｙ、Ｂ−Ｙに対して、マトリクス処理を行ない、赤、緑、青の３原色データＲＧＢを出力する。この３原色データＲＧＢは、映像処理回路３０４の後段のパネル駆動回路３０６に供給される。
【００５５】
図５には、エンハンス回路４０３の構成例を示している。
【００５６】
高域バンドパス・フィルター（ＢＰＦ）５０１は、入力信号から高域成分を抽出する。小振幅抽出部５０４は、高域バンドパス・フィルター５０１の出力からさらに高域小振幅成分を抽出する。そして、高域小振幅調整部５０８は、抽出された高域小振幅成分の信号レベルを調整する。
【００５７】
中域バンドパス・フィルター（ＢＰＦ）５０２は、入力信号から中域成分を抽出する。大振幅抽出部５０５は、中域バンドパス・フィルター５０２の出力からさらに中域大振幅成分を抽出する。そして、中域大振幅調整部５０９は、抽出された中域大振幅成分の信号レベルを調整する。
【００５８】
加算部５１１は、入力画像に、高域小振幅調整部５０８で調整した高域小振幅成分と、中域大振幅調整部５０９で調整した中域大振幅成分を加算する。
【００５９】
高域小振幅調整部５０８並びに中域大振幅調整部５０９のゲインは、例えばユーザー操作などにより調整することができる。ここで言うユーザー操作は、例えば、ユーザーがリモコン送信機３１６から表示パネル３０８の表示画面に向かって行なうことができる。図６には、高域小振幅並びに中域大振幅の各エンハンス・ゲインを調整する際のＧＵＩ（Ｇｒａｐｈｉｃａｌ  Ｕｓｅｒ  Ｉｎｔｅｒｆａｃｅ）画面構成例を示している。図示の画面は、高域小振幅並びに中域大振幅のゲイン・レベルを示す各スケールがそれぞれ表示されている。そして、ユーザーがリモコン送信機３１６から各成分のゲイン・レベルの調整を指示したことに応答して、該当するスケールの表示が上下に変化する。
【００６０】
例えば、ユーザーは、表示画像のうち輪郭に沿った太いオーバーシュートが気になるときには、オーバーシュートがなくなり最も自然で好ましいと感じるように、リモコン送信機３１６などを用いて中域大振幅成分の調整を行なう。このとき、中域大振幅成分が減衰されることに伴って、高域小振幅の成分を上げていくことが好ましい。その結果、テクスチャー部分の精細感が上がり、自然な高解像度映像となる。
【００６１】
しかしながら、操作に不慣れ、若しくは、映像技術に詳しくないユーザーは、中域大振幅成分の調整を行なって、輪郭に沿った太いオーバーシュートを取り除く際に、高域小振幅の成分を上げていった方がよいことを失念しているおそれがある。その結果、テクスチャー部分は鮮鋭感がないままで単にリンクかがぼやけた画質となってしまい、ユーザーは画質が改善されたという感覚を得ることはできないことになる。
【００６２】
図７には、エンハンス回路４０３の他の構成例を示している。
【００６３】
高域バンドパス・フィルター（ＢＰＦ）７０１は、入力信号から高域成分を抽出する。小振幅抽出部７０４は、高域バンドパス・フィルター７０１の出力からさらに高域小振幅成分を抽出する。そして、高域小振幅調整部７０８は、抽出された高域小振幅成分の信号レベルを調整する。
【００６４】
中域バンドパス・フィルター（ＢＰＦ）７０２は、入力信号から中域成分を抽出する。大振幅抽出部７０５は、中域バンドパス・フィルター７０２の出力からさらに中域大振幅成分を抽出する。そして、中域大振幅調整部７０９は、抽出された中域大振幅成分の信号レベルを調整する。
【００６５】
加算部７１１は、入力画像に、高域小振幅調整部７０８で調整した高域小振幅成分と、中域大振幅調整部７０９で調整した中域大振幅成分を加算する。
【００６６】
高域小振幅調整部７０８並びに中域大振幅調整部７０９のゲインは、例えばユーザー操作などにより調整することができる。ここで言うユーザー操作は、例えば、ユーザーがリモコン送信機３１６から表示パネル３０８の表示画面に向かって行なうことができる。但し、図５に示した構成例との相違は、中域大振幅調整部７０９におけるゲイン調整量に高域小振幅調整部７０８におけるゲイン調整量を連動させる連動部７１２を備えている点にある。連動部７１２は、図７中では簡素化して描いているが、実際には中域大振幅調整部７０９と連動する高域側の回路である。連動部７１２は、基本的には、中域大振幅成分のゲインを低下させたときには、これに連動して高域小振幅成分のゲインを上げ、逆に、中域大振幅成分のゲインを上げたときには、高域小振幅成分のゲインを低下させるようにする。高域小振幅成分のゲイン調整量は、中域大振幅成分のゲイン調整量に対して、例えば表１に示したように連動する。なお、中域大振幅成分を調整した結果として、字幕が読みにくくなることがある。これを改善するために、さらに高域大振幅調整部７０７を中域大振幅調整部７０９に連動して制御する図示しない連動部をさらに装備するようにしてもよい。
【００６７】
図８には、高域小振幅並びに中域大振幅のエンハンス・ゲインを調整する際のＧＵＩ画面構成例を示している。図示の画面は、高域小振幅並びに中域大振幅のゲイン・レベルを示す各スケールがそれぞれ表示されている。そして、ユーザーがリモコン送信機３１６から各成分のゲイン・レベルの調整を指示したことに応答して、該当するスケールの表示が上下に変化する。但し、高域小振幅のゲイン・レベルは中域大振幅のゲイン・レベルに連動することから、高域小振幅用のスケールの表示を省略するようにしてもよい。
【００６８】
例えば、ユーザーは、表示画像のうち輪郭に沿った太いオーバーシュートが気になるときには、リモコン送信機３１６などを用いて、オーバーシュートがなくなり最も自然で好ましいと感じるように、中域大振幅成分の調整を行なう。ここで、中域大振幅成分の調整に高域小振幅成分の制御が連動していると、図１並びに図２Ｂに示したように、中域大振幅成分が減衰されることに伴って、高域小振幅の成分が上がっていくので、テクスチャー部分の精細感が上がり、自然な高解像度映像となる。したがって、ユーザーは、輪郭に沿った太いオーバーシュートだけを気にして画質調整を行なえば、高域小振幅成分すなわちテクスチャー部分の精細感を特に意識しなくても、テクスチャー部分の精細感が上がった自然な高解像度映像を自動的に得ることができる。
【００６９】
図９には、エンハンス回路４０３のさらに他の構成例を示している。
【００７０】
高域バンドパス・フィルター（ＢＰＦ）９０１は、入力信号から高域成分を抽出する。大振幅抽出部９０３は、高域バンドパス・フィルター９０１の出力からさらに高域大振幅成分を抽出し、小振幅抽出部９０４は、高域バンドパス・フィルター９０１の出力からさらに高域小振幅成分を抽出する。そして、高域大振幅調整部９０７は、抽出された高域小振幅成分の信号レベルを調整し、高域小振幅調整部９０８は、抽出された高域小振幅成分の信号レベルを調整する。
【００７１】
中域バンドパス・フィルター（ＢＰＦ）９０２は、入力信号から中域成分を抽出する。大振幅抽出部９０５は、中域バンドパス・フィルター９０２の出力からさらに中域大振幅成分を抽出し、小振幅抽出部９０６は、中域バンドパス・フィルター９０２の出力からさらに中域小振幅成分を抽出する。そして、中域大振幅調整部９０９は、抽出された中域大振幅成分の信号レベルを調整し、中域小振幅調整部９１０は、抽出された中域小振幅成分の信号レベルを調整する。
【００７２】
加算部９１１は、入力画像に、高域大振幅調整部９０７で調整した高域大振幅成分と、高域小振幅調整部９０８で調整した高域小振幅成分と、中域大振幅調整部９０９で調整した中域大振幅成分と、中域小振幅調整部９１０で調整した中域小振幅成分を加算する。
【００７３】
高域大振幅調整部９０７、高域小振幅調整部９０８、中域大振幅調整部９０９、並びに、中域小振幅調整部９１０のゲインは、例えばユーザー操作などにより調整することができる。ここで言うユーザー操作は、例えば、ユーザーがリモコン送信機３１６から表示パネル３０８の表示画面に向かって行なうことができる。図１０には、高域大振幅、高域小振幅、中域大振幅、並びに、中域小振幅の各エンハンス・ゲインを調整する際のＧＵＩ画面構成例を示している。図示の画面は、高域大振幅、高域小振幅、中域大振幅、並びに、中域小振幅の４種類のゲイン・レベルを示す各スケールがそれぞれ表示されている。そして、ユーザーがリモコン送信機３１６から各成分のゲイン・レベルの調整を指示したことに応答して、該当するスケールの表示が上下に変化する。
【００７４】
例えば、ユーザーは、表示画像のうち輪郭に沿った太いオーバーシュートが気になるときには、オーバーシュートがなくなり最も自然で好ましいと感じるように、リモコン送信機３１６などを用いて中域大振幅成分の調整を行なう。このとき、中域大振幅成分が減衰されることに伴って、高域小振幅の成分を上げていくことが好ましい。その結果、テクスチャー部分の精細感が上がり、自然な高解像度映像となる。
【００７５】
但し、図９に示す構成例では、中域大振幅調整部９０９におけるゲイン調整量に高域小振幅調整部９０８におけるゲイン調整量を連動させる仕組みを備えていない。このため、操作に不慣れ、若しくは、映像技術に詳しくないユーザーは、中域大振幅成分の調整を行なって、輪郭に沿った太いオーバーシュートを取り除く際に、高域小振幅の成分を上げていった方がよいことを失念しているおそれがある。その結果、テクスチャー部分は鮮鋭感がないままで単にリンクかがぼやけた画質となってしまい、ユーザーは画質が改善されたという感覚を得ることはできないことになる。
【００７６】
図１１には、エンハンス回路４０３のさらに他の構成例を示している。
【００７７】
高域バンドパス・フィルター（ＢＰＦ）１１０１は、入力信号から高域成分を抽出する。大振幅抽出部１１０３は、高域バンドパス・フィルター１１０１の出力からさらに高域大振幅成分を抽出し、小振幅抽出部１１０４は、高域バンドパス・フィルター１１０１の出力からさらに高域小振幅成分を抽出する。そして、高域大振幅調整部１１０７は、抽出された高域小振幅成分の信号レベルを調整し、高域小振幅調整部１１０８は、抽出された高域小振幅成分の信号レベルを調整する。
【００７８】
中域バンドパス・フィルター（ＢＰＦ）１１０２は、入力信号から中域成分を抽出する。大振幅抽出部１１０５は、中域バンドパス・フィルター１１０２の出力からさらに中域大振幅成分を抽出し、小振幅抽出部１１０６は、中域バンドパス・フィルター１１０２の出力からさらに中域小振幅成分を抽出する。そして、中域大振幅調整部１１０９は、抽出された中域大振幅成分の信号レベルを調整し、中域小振幅調整部１１１０は、抽出された中域小振幅成分の信号レベルを調整する。
【００７９】
加算部１１１１は、入力画像に、高域大振幅調整部１１０７で調整した高域大振幅成分と、高域小振幅調整部１１０８で調整した高域小振幅成分と、中域大振幅調整部１１０９で調整した中域大振幅成分と、中域小振幅調整部１１１０で調整した中域小振幅成分を加算する。
【００８０】
高域大振幅調整部１１０７、高域小振幅調整部１１０８、中域大振幅調整部１１０９、並びに、中域小振幅調整部１１１０の各ゲインは、例えばユーザー操作などにより調整することができる。ここで言うユーザー操作は、例えば、ユーザーがリモコン送信機３１６から表示パネル３０８の表示画面に向かって行なうことができる。但し、図９に示した構成例との相違は、中域大振幅調整部１１０９におけるゲイン調整量に高域小振幅調整部１１０８におけるゲイン調整量を連動させる連動部１１１２を備えている点にある。連動部１１１２は、図１１中では簡素化して描いているが、実際には中域大振幅調整部１１０９と連動する高域側の回路である。連動部１１１２は、基本的には、中域大振幅成分のゲインを低下させたときには、これに連動して高域小振幅成分のゲインを上げ、逆に、中域大振幅成分のゲインを上げたときには、高域小振幅成分のゲインを低下させるようにする。高域小振幅成分のゲイン調整量は、中域大振幅成分のゲイン調整量に対して、例えば表１に示したように連動する。なお、中域大振幅成分を調整した結果として、字幕が読みにくくなることがある。これを改善するために、さらに高域大振幅調整部１１０７を中域大振幅調整部１１０９に連動して制御する図示しない連動部をさらに装備するようにしてもよい。
【００８１】
図１２には、高域大振幅、高域小振幅、中域大振幅、並びに、中域小振幅の各エンハンス・ゲインを調整する際のＧＵＩ画面構成例を示している。図示の画面は、高域大振幅、高域小振幅、中域大振幅、並びに、中域小振幅の４種類のゲイン・レベルを示す各スケールがそれぞれ表示されている。そして、ユーザーがリモコン送信機３１６から各成分のゲイン・レベルの調整を指示したことに応答して、該当するスケールの表示が上下に変化する。但し、高域小振幅のゲイン・レベルは中域大振幅のゲイン・レベルに連動することから、高域小振幅用のスケールの表示を省略するようにしてもよい。
【００８２】
高域大振幅調整部１１０７と高域小振幅調整部１１０８は別系統であり、連動していない。したがって、図１２に示したように、ＧＵＩ画面上では高域大振幅と高域小振幅を個別のスケールを操作して調整するようになっている。
【００８３】
なお、図５、図７、図９、図１１にそれぞれ示したエンハンス回路４０３の構成例において、中域と高域の周波数帯域は、入力画素数と出力画素数に連携して切り替えるようにする。
【００８４】
また、図９並びに図１１にそれぞれ示したエンハンス回路４０３の構成例において、中域大振幅だけでなく中域小振幅の調整を行なう理由として、オーバーシュートの出方に２種類があり、大振幅だけ過補正すればよい場合と、振幅によらず過補正すべき場合があることを挙げることができる。中域大振幅のオーバーシュートを調整した後、中域小振幅のオーバーシュートが残る場合には、中域小振幅を下げることによって、すべてのオーバーシュートを除去することができる。
【００８５】
なお、本明細書の開示の技術は、以下のような構成をとることも可能である。
（１）画像を入力する画像入力部と、入力画像の高域成分を抽出する高域バンドパス・フィルターと、前記高域バンドパス・フィルターにより抽出された高域成分のうち小振幅成分を抽出する高域小振幅抽出部と、前記高域小振幅抽出部により抽出された高域小振幅成分を調整する高域小振幅調整部と、入力画像の中域成分を抽出する中域バンドパス・フィルターと、前記中域バンドパス・フィルターにより抽出された中域成分のうち大振幅成分を抽出する中域大振幅抽出部と、前記中域大振幅抽出部により抽出された中域大振幅成分を調整する中域大振幅調整部と、前記高域小振幅調整部により調整した後の高域小振幅成分と、前記中域大振幅調整部により調整した後の中域大振幅成分を、入力画像に加算する加算部と、を具備する画像処理装置。
（２）前記中域大振幅調整部において行なう中域大振幅成分の調整に連動させて前記高域小振幅調整部において行なう高域小振幅成分の調整を制御する連動部をさらに備える、上記（１）に記載の画像処理装置。
（３）前記高域バンドパス・フィルターにより抽出された高域成分のうち大振幅成分を抽出する高域大振幅抽出部と、前記高域大振幅抽出部により抽出された高域大振幅成分を調整する高域大振幅調整部と、前記中域バンドパス・フィルターにより抽出された中域成分のうち小振幅成分を抽出する中域小振幅抽出部と、  前記中域小振幅抽出部により抽出された中域小振幅成分を調整する中域小振幅調整部と、をさらに備え、前記加算部は、前記高域大振幅調整部により調整した後の高域大振幅成分と、前記高域小振幅調整部により調整した後の高域小振幅成分と、前記中域大振幅調整部により調整した後の中域大振幅成分と、前記中域小振幅調整部により調整した後の中域小振幅成分を、入力画像に加算する、上記（１）に記載の画像処理装置。
（４）前記中域大振幅調整部において行なう中域大振幅成分の調整に連動させて前記高域小振幅調整部において行なう高域小振幅成分の調整を制御する連動部をさらに備える、上記（３）に記載の画像処理装置。
（５）前記高域バンドパス・フィルター及び前期中域バンドパス・フィルターでそれぞれ抽出する周波数帯域を、前記画像入力部に入力される画像の画素数と、前記加算部からの出力画像を表示する際の画素数に連携して決定する、上記（１）乃至８４）のいずれかに記載の画像処理装置。
（６）画像を入力する画像入力ステップと、入力画像の中域成分を抽出する中域抽出ステップと、前記中域抽出ステップにより抽出された中域成分のうち大振幅成分を抽出する中域大振幅抽出ステップと、前記中域大振幅抽出ステップにより抽出された中域大振幅成分を調整する中域大振幅調整ステップと、入力画像の高域成分を抽出する高域抽出ステップと、前記高域抽出ステップにより抽出された高域成分のうち小振幅成分を抽出する高域小振幅抽出ステップと、前記中域大振幅調整ステップにおける中域大振幅成分の調整と連動して、前記高域小振幅抽出ステップにより抽出された高域小振幅成分を調整する高域小振幅調整ステップと、前記高域小振幅調整ステップにより調整した後の高域小振幅成分と、前記中域大振幅調整ステップにより調整した後の中域大振幅成分を、入力画像に加算する加算ステップと、を有する画像処理方法。
（７）画像を入力する画像入力部、入力画像の中域成分を抽出する中域抽出部、前記中域抽出部により抽出された中域成分のうち大振幅成分を抽出する中域大振幅抽出部、前記中域大振幅抽出部により抽出された中域大振幅成分を調整する中域大振幅調整部、入力画像の高域成分を抽出する高域抽出部、前記高域抽出部により抽出された高域成分のうち小振幅成分を抽出する高域小振幅抽出部、前記中域大振幅調整ステップにおける中域大振幅成分の調整と連動して、前記高域小振幅抽出部により抽出された高域小振幅成分を調整する高域小振幅調整部、前記高域小振幅調整部により調整した後の高域小振幅成分と、前記中域大振幅調整部により調整した後の中域大振幅成分を、入力画像に加算する加算部、としてコンピューターを機能させるための、コンピューター可読形式で記述されたコンピューター・プログラム。
【産業上の利用可能性】
【００８６】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【００８７】
本明細書では、ハードウェアにより画像のエンハンス処理を行なう実施形態を中心に、本明細書で開示する技術について説明してきたが、実現形態はこれに限定されるものではない。例えばＣＰＵ３１４が所定の画像処理プログラムを起動して行なう画像処理によって、同様に、中域大振幅成分の調整に高域小振幅成分の調整を連動させたエンハンス処理を実現することができる。
【００８８】
要するに、例示という形態で本技術を開示してきたのであり、本明細書の記載内容を限定的に解釈するべきではない。本技術の要旨を判断するためには、特許請求の範囲を参酌すべきである。
【符号の説明】
【００８９】
３００…画像表示装置、３０１…ＨＤＭＩ端子、３０２…ＨＤＭＩ受信部
３０３…デマルチプレクサー（ＤＥＭＵＸ）、３０４…映像処理回路
３０５…音声処理回路、３０６…パネル駆動回路
３０７…音声増幅回路、３０８…表示パネル
３０９…スピーカー、３１０…ネットワーク端子
３１１…イーサネット（登録商標）・インターフェース
３１２…ＳＤＲＡＭ、３１３…ＲＯＭ、３１４…ＣＰＵ
３１５…リモコン受信部、３１６…リモコン送信機、３１７…バス
３５０…画像再生装置
３５１…メディア・ドライブ、３５２…復調部
３５３…映像音声処理部、３５４…ＨＤＭＩインターフェース
４０１…ＩＰ変換回路、４０２…スケーリング回路
４０３…エンハンス回路
４０４…コントラスト・ブライトネス調整回路
４０５…ゲイン調整回路、４０６…遅延回路、４０７…マトリクス回路
５０１…高域バンドパス・フィルター、５０２…中域バンドパス・フィルター
５０４…小振幅抽出部、５０５…大振幅抽出部
５０８…高域小振幅調整部、５０９…中域大振幅調整部、５１１…加算部
７０１…高域バンドパス・フィルター、７０２…中域バンドパス・フィルター
７０４…小振幅抽出部、７０５…大振幅抽出部
７０８…高域小振幅調整部、７０９…中域大振幅調整部
７１１…加算部、７１２…連動部
９０１…高域バンドパス・フィルター、９０２…中域バンドパス・フィルター
９０３…大振幅抽出部、９０４…小振幅抽出部、
９０５…大振幅抽出部、９０６…小振幅抽出部、
９０７…高域大振幅調整部、９０８…高域小振幅調整部
９０９…中域大振幅調整部、９１０…中域小振幅調整部、９１１…加算部
１１０１…高域バンドパス・フィルター、１１０２…中域バンドパス・フィルター
１１０３…大振幅抽出部、１１０４…小振幅抽出部、
１１０５…大振幅抽出部、１１０６…小振幅抽出部、
１１０７…高域大振幅調整部、１１０８…高域小振幅調整部
１１０９…中域大振幅調整部、１１１０…中域小振幅調整部
１１１１…加算部、１１１２…連動部
【図２Ｂ】
2013042319.tif 000004
【図３Ａ】
2013042319.tif 000005
【図３Ｂ】
2013042319.tif 000006
【図４】
2013042319.tif 000007
【図５】
2013042319.tif 000008
【図７】
2013042319.tif 000009
【図９】
2013042319.tif 000010
【図１１】
2013042319.tif 000011
【図１３Ｂ】
2013042319.tif 000012
【図１４】
2013042319.tif 000013
【図１５】
2013042319.tif 000014
【図１６Ｂ】
2013042319.tif 000015
【図１】
2013042319.tif 000016
【図２Ａ】
2013042319.tif 000017
【図６】
2013042319.tif 000018
【図８】
2013042319.tif 000019
【図１０】
2013042319.tif 000020
【図１２】
2013042319.tif 000021
【図１３Ａ】
2013042319.tif 000022
【図１６Ａ】
2013042319.tif 000023